(57)【特許請求の範囲】
【請求項１】
商品を出納し得る透明ケースとこの透明ケースの周りを被覆して一体的に固定し得る台紙との組合わせよりなる容器に於いて、前記台紙は透明ケースを挿入して露出し得る切溝を有する表板と裏板とが折曲線を介して連設されており、かつこれ等の表板と裏板との対応する片面には夫々相互に接触された場合のみに粘着し得る糊が塗着されており、前記商品を収納した透明ケースを前記切溝内に挿入して表側に露出すると共に、前記裏板を前記表板に折り重ねることによって前記透明ケースの底部開口部に設けたフランジ部に前記表板の糊及び前記裏板の糊が付着せず、前記表板の糊と前記裏板の糊とが粘着されて前記透明ケースの底部開口部に設けたフランジ部が前記表板の糊及び前記裏板の糊が付着しない状態で前記表板と前記裏板とで挟持されたことを特徴とした展示容器。
【請求項２】
前記台紙の裏板の所定位置につまみを突設すると共に該つまみの近傍から該裏板の一部に切目線を穿設し、さらに前記表板の片側縁に巾の小さい側板を折曲線を介して連設して構成したことを特徴とした請求項１の展示容器。
【発明の詳細な説明】
【０００１】
【発明の属する技術分野】
本発明は、商品を収納し得る透明ケースとこの透明ケースを一体的に固定し得る台紙に係り、特に該台紙を折曲線を介して連設された表板と裏板とで形成すると共に両者の対応する片面に相互に当接された場合のみに粘着し得る糊を塗着して構成した展示容器に関するものである。
【０００２】
【従来の技術】
従来のこの種の透明ケースと台紙とを組合わせて構成した展示用容器としては、一般的にブリスター・パック（blister  pack）が知られている。
【０００３】
このブリスター・パックは、厚紙で形成された台紙の上に所定の商品を載置し、かつこの商品とに透明硬質プラスチックカバーを被覆し、この状態で所定の高温度を有する加熱トンネル内を通過することによって、透明硬質プラスチックカバーを台紙に一体的に固着するようにした展示容器である。
【０００４】
【発明が解決しようとする課題】
然るに、前述のブリスター・パックは、商品のみならず台紙の表面全体を被覆するような大きな硬質プラスチックカバーを必要とすると共に、製造に当っては特殊な加熱トンネルを通過させなければならないので、極めてコスト高になる問題があった。
【０００５】
また、容器の表面全体を覆う硬質プラスチックカバーには、印刷が困難であったために、収納した商品の特徴、使用方法等の商品の説明を体裁良く表示することが出来ない問題があった。かつ、前記硬質プラスチックカバーは台紙の表面に完全に固着されているので、鋏等を使用しなければ、この中から商品を簡単に取り出すことが出来ない問題があった。さらに、使用後に容器を廃棄する場合には、硬質プラスチックカバーと台紙とを完全に分離して廃棄することが困難である問題もあった。
【０００６】
本発明に係る展示容器は、前述の従来の多くの問題点に鑑み開発された全く新しい技術であって、特に台紙を表板と裏板とで形成すると共に、表板に透明ケースを挿入露出し得る切溝を設け、かつ前記台紙の表板と裏板との対応する片面に夫々相互に接触させた場合のみ貼着し得る糊を塗着して構成した全く新しい展示容器の技術を提供するものである。
【０００７】
【課題を解決するための手段】
本発明に係る展示容器は前述の従来の問題点を根本的に改善した発明であって、その第１発明の要旨は、商品を出納し得る透明ケースとこの透明ケースの周りを被覆して一体的に固定し得る台紙との組合わせよりなる容器に於いて、前記台紙は透明ケースを挿入して露出し得る切溝を有する表板と裏板とが折曲線を介して連設されており、かつこれ等の表板と裏板との対応する片面には夫々相互に接触された場合のみに粘着し得る糊が塗着されており、前記商品を収納した透明ケースを前記切溝内に挿入して表側に露出すると共に、前記裏板を前記表板に折り重ねることによって前記透明ケースの底部開口部に設けたフランジ部に前記表板の糊及び前記裏板の糊が付着せず、前記表板の糊と前記裏板の糊とが粘着されて前記透明ケースの底部開口部に設けたフランジ部が前記表板の糊及び前記裏板の糊が付着しない状態で前記表板と前記裏板とで挟持されたことを特徴とした展示容器である。
【０００８】
前述の第１発明に於いては、台紙を折曲線を介して連設された表板と裏板とで形成し、かつ表板の所定位置に切溝を設けたので、商品を収納した透明ケースをこの切溝内に挿入して表側に露出すると共に、裏板を表板に折り重ねることによって、透明ケースの一部分、例えば底部開口部に設けたフランジ等を表板と裏板とで挟持することによって、透明ケースを台紙に安定した状態で取付固定することが出来る。
【０００９】
また、前記第１発明に於いては、台紙の表板と裏板との対応する片面に夫々相互に接触された場合のみに粘着される糊を塗着したので、表板の裏側から透明ケースを切溝に挿入した後で、裏板を表板に重ねることによって台紙を形成し、同時に台紙に透明ケースを一体的に固定することが出来る。
【００１０】
さらに、本発明は前述のように、商品を収納した透明容器を台紙の表板と裏板との間に挟み込んで両者を組立構成したので、使用後の容器を廃棄する場合には、表板と裏板とを相互に剥離することによって、透明ケースと台紙とを夫々簡単に分離して廃棄することが出来る。
【００１１】
本発明に係る展示容器の第２発明の要旨は、前記台紙の裏板の所定位置につまみを突設すると共に該つまみの近傍から該裏板の一部に切目線を穿設し、さらに前記表板の片側縁に巾の小さい側板を折曲線を介して連設して構成したことを特徴とした第１発明の展示容器である。
【００１２】
前述の第２発明に於いては、台紙の裏板の所定位置につまみを突設すると共に、該つまみの近傍から裏板の一部に切目線を穿設して構成したので、前記つまみを持って切目線を引裂くことによって、裏板を部分的に切除して、台紙に固定されていた透明ケースの裏側の開口部を露出させ、この開口部より商品を簡単に取出すことが出来る。
【００１３】
また、表板の片側縁には巾の小さい側板を折曲線を介して連設したので、側板は表板上に折り返して貼着することが出来、かつ裏板上に突設されたつまみは、この側板上に載置することが出来る。
【００１４】
【発明の実施の形態】
図により本発明に係る展示容器の一実施例を具体的に説明すると、図１は本発明に係る展示容器の斜視図、図２は図１の展示容器を構成する部品の説明図、図３は図２の部品の組立説明図、図４は図１の展示容器の裏側から商品を取出す状態の説明図である。
【００１５】
図１乃至図４に於いて、１は厚紙製の台紙であって、２本の折曲線を介して巾狭の側板２、表板３、裏板４が順に連設されている。該表板３の所定位置には、後述の透明ケースを挿入して露出し得る切溝５が穿設されている。
【００１６】
前記裏板４の側縁の所定位置にはつまみ６が突設され、かつこのつまみ６の近傍から裏板４の内部に亘ってはコ状切目線７が穿設されている。また、表板３及び裏板４の端縁部には、夫々吊下穴８が穿設されている。さらに、前記側板２、表板３、及び裏板４の夫々対応する片面（裏面）には、相互に接触された場合のみに粘着し得る糊（天然ゴム変性樹脂を主成分とした一般的に瞬間糊と呼ばれている糊）９が塗着されている。
【００１７】
１０は透明ケースであって、プラスチックシートを真空成形することによって下部に開口部１１を有する透明のケースが形成されている。この開口部１１の周りにはフランジ１２が設けられている。
【００１８】
該透明ケース１０は内部に所定の商品１３を収納することが出来、かつその商品１３の収納部１０ａは、前記表板３の切溝５内に挿入して、表板３の表側に露出し得る方法を持って形成されている。また、前記開口部１１の周りに設けたフランジ１２の作用によって、透明ケース１０は切溝５より抜け落ちないように構成されている。
【００１９】
本発明に係る展示容器の組立に当っては、特に図３に示す如く、逆にした透明ケース１０の開口部１１より収納部１０ａの中に商品１３（図示せず）を収納し、その収納部１０ａを台紙１の表板３に設けられた切溝５内に挿入し、この状態で側板２を表板３上に折り重ねて糊９を介して両者を相互に貼着し、次に裏板４を表板３上に折り重ねて糊９を介して裏板４を表板３に貼着して、図１に示すような本発明の展示容器を完成する。
【００２０】
前述のように、透明ケース１０の開口部１１の周りに突設されたフランジ１２は、表板３と裏板４とによって挟持されているので、台紙１の表面に収納部１０ａが露出した透明ケース１０は、台紙１に安定した状態で一体的に取付けられている。
【００２１】
前記表板３と裏板４との片面には、前述のような特殊な糊９が塗着して構成されているので、このように表板３と裏板４とによって挟持された透明ケース１０のフランジ１２には糊９が付着する心配がない。従って、本発明の展示容器を廃棄する際には、台紙１から透明ケース１０を簡単に剥離分離して廃棄することが出来る。
【００２２】
前述の実施例に於いては、巾の小さい側板２を表板３上に折り重ねて貼着した後で、裏板４を表板３上に折り重ねて貼着するようにしたので、裏板４の側縁に突設したつまみ６は、側板２上に載置することが出来る。従って、裏板４の切目線７を引裂く場合には、このつまみ６を持って引っ張ることによって、簡単に引裂くことが出来る。
【００２３】
本発明に係る展示容器より収納した商品１３を取出す場合には、図４に示す如く、側板２上に載置されたつまみ６を持って所定方向に引張ることによって、切目線７を引裂いて、透明ケース１０の開口部１１を露出し、その開口部１１より商品１３を取り出すことが出来る。前述のように透明ケース１０には糊９が付着されていないので、透明ケース１０も台紙１より簡単に取り出すことが出来る。
【００２４】
【発明の効果】
本発明に於いては、台紙を折曲線を介して連設された表板と裏板とで形成し、かつ表板の所定位置に切溝を設けたので、商品を収納した透明ケースをこの切溝内に挿入して表側に露出すると共に、裏板を表板に折り重ねることによって、透明ケースの一部分、例えば底部開口部に設けたフランジ等を表板と裏板とで挟持することによって、透明ケースを台紙に安定した状態で取付固定することが出来る効果を有している。
【００２５】
また、台紙の表板と裏板との対応する片面に夫々相互に接触された場合のみに粘着される糊を塗着したので、表板の裏側から透明ケースを切溝に挿入した後で、裏板と表板に重ねることによって台紙を形成し、同時に台紙に透明ケースを一体的に固定することが出来る効果を有している。
【００２６】
さらに、本発明は前述のように、商品を収納した透明容器を台紙の表板と裏板との間に挟み込んで両者を組立構成したので、使用後の容器を廃棄する場合には、表板と裏板とを相互に剥離することによって、透明ケースと台紙とを夫々簡単に分離して廃棄することが出来る効果を有している。
【００２７】
さらに、台紙の裏板の所定位置につまみを突設すると共に、該つまみの近傍から裏板の一部に切目線を穿設して構成した場合には、前記つまみを持って切目線を引裂くことによって、裏板を部分的に切除して、台紙に固定されていた透明ケースの裏側の開口部を露出させ、この開口部より商品を簡単に取出すことが出来る効果を有している。また、表板に連設された側板を利用することによって、前記つまみは側板上に載置して、簡単につまむことが出来るようにすることが出来る効果を有している。
【図面の簡単な説明】
【図１】  本発明に係る展示容器の斜視図である。
【図２】  図１の展示容器を構成する部品の説明図である。
【図３】  図２の部品の組立説明図である。
【図４】  図１の展示容器の裏側から商品を取出す状態の説明図である。
【符号の説明】
１ …台紙
２ …側板
３ …表板
４ …裏板
５ …切溝
６ …つまみ
７ …コ状切目線
８ …吊下穴
９ …糊
１０ …透明ケース
１０ａ…収納部
１１ …開口部
１２  …フランジ
【図１】
0003908489.tif 000002
【図２】
0003908489.tif 000003
【図３】
0003908489.tif 000004
【図４】
0003908489.tif 000005